(57)【要約】【課題】  色収差が良好に補正されたズームレンズを得ること。【解決手段】  物体側より像側へ順に、正の屈折力の第１レンズ群、負の屈折力の第２レンズ群、複数のレンズ群を含む後群により構成され、広角端に比べて望遠端において前記第１レンズ群と前記第２レンズ群の間隔が大きくなり、後群は、正の屈折力を有するレンズ群を複数含み、後群に含まれる正の屈折力を有するレンズ群の中で変倍比が最も高いレンズ群をレンズ群Ｒとして、第１レンズ群は、正レンズと負レンズを有し、レンズ群Ｒは、正レンズと負レンズを有する。該ズームレンズにおいて、第１レンズ群に含まれる正レンズ、負レンズ、レンズ群Ｒに含まれる正レンズ、負レンズの材料を適切に設定する。【選択図】  図１
2015114335.tif 000002
【特許請求の範囲】
【請求項１】
物体側より像側へ順に、正の屈折力の第１レンズ群、負の屈折力の第２レンズ群、複数のレンズ群を含む後群により構成され、広角端に比べて望遠端において前記第１レンズ群と前記第２レンズ群の間隔が大きくなるズームレンズにおいて、
前記後群は、正の屈折力を有するレンズ群を複数含み、
前記後群に含まれる、正の屈折力を有するレンズ群の中で変倍比が最も高いレンズ群をレンズ群Ｒとして、
前記第１レンズ群は、正レンズと負レンズを有し、
前記レンズ群Ｒは、正レンズと負レンズを有し、
前記第１レンズ群に配置された正レンズの中で、レンズの材料のアッベ数が最も大きい正レンズの材料のアッベ数をνｄ１ｐ、部分分散比をθｇＦ１ｐ、前記第１レンズ群に配置された負レンズの中で、レンズの材料のアッベ数が最も小さい負レンズの材料のアッベ数をνｄ１ｎ、部分分散比をθｇＦ１ｎ、前記レンズ群Ｒに配置された正レンズの中で、レンズの材料のアッベ数が最も大きい正レンズの材料のアッベ数をνｄＲｐ、部分分散比をθｇＦＲｐ、前記レンズ群Ｒに配置された負レンズの中で、レンズの材料のアッベ数が最も小さい負レンズの材料のアッベ数をνｄＲｎ、部分分散比をθｇＦＲｎとしたとき、
５．０＜νｄ１ｎ＜２７．０
５．０＜νｄＲｎ＜２７．０
θｇＦ１ｎ＜２．３８１×１０−４・νｄ１ｎ２−１．４４８×１０−２・νｄ１ｎ＋０．８２２３
θｇＦＲｎ＜２．３８１×１０−４・νｄＲｎ２−１．４４８×１０−２・νｄＲｎ＋０．８２２３
−０．００１５０＜（θｇＦ１ｎ−θｇＦ１ｐ）／（νｄ１ｎ−νｄ１ｐ）
−０．００１５０＜（θｇＦＲｎ−θｇＦＲｐ）／（νｄＲｎ−νｄＲｐ）
なる条件式を満足することを特徴とするズームレンズ。
【請求項２】
前記第１レンズ群の焦点距離をｆ１、望遠端における全系の焦点距離をｆｔとしたとき、
０．１０＜ｆ１／ｆｔ＜０．７０
なる条件式を満足することを特徴とする請求項１に記載のズームレンズ。
【請求項３】
前記第２レンズ群の焦点距離をｆ２、望遠端における全系の焦点距離をｆｔとしたとき、
−０．２００＜ｆ２／ｆｔ＜−０．０１０
なる条件式を満足することを特徴とする請求項１または２に記載のズームレンズ。
【請求項４】
前記レンズ群Ｒの焦点距離をｆＲ、望遠端における全系の焦点距離をｆｔとしたとき、
０．０２０＜ｆＲ／ｆｔ＜０．３００
なる条件式を満足することを特徴とする請求項１乃至３のいずれか１項に記載のズームレンズ。
【請求項５】
前記第１レンズ群に配置された負レンズの中で、レンズの材料のアッベ数が最も小さい負レンズの焦点距離をｆ１ｎ、前記第１レンズ群の焦点距離をｆ１としたとき、
−４．００＜ｆ１ｎ／ｆ１＜−１．００
なる条件式を満足することを特徴とする請求項１乃至４のいずれか１項に記載のズームレンズ。
【請求項６】
前記レンズ群Ｒに配置された負レンズの中で、レンズの材料のアッベ数が最も小さい負レンズの焦点距離をｆＲｎ、前記レンズ群Ｒの焦点距離をｆＲとしたとき、
−３．００＜ｆＲｎ／ｆＲ＜−１．００
なる条件式を満足することを特徴とする請求項１乃至５のいずれか１項に記載のズームレンズ。
【請求項７】
広角端における全系の焦点距離をｆｗ、広角端から望遠端へのズーミングにおける前記第１レンズ群の光軸上の移動量をＭ１としたとき、
−１０．００＜Ｍ１／ｆｗ＜−１．００
なる条件式を満足することを特徴とする請求項１乃至６のいずれか１項に記載のズームレンズ。
【請求項８】
広角端における全系の焦点距離をｆｗ、広角端から望遠端へのズーミングにおける前記第２レンズ群の光軸上の移動量をＭ２としたとき、
−４．００＜Ｍ２／ｆｗ＜３．００
なる条件式を満足することを特徴とする請求項１乃至７のいずれか１項に記載のズームレンズ。
【請求項９】
広角端における全系の焦点距離をｆｗ、広角端から望遠端へのズーミングにおける前記レンズ群Ｒの光軸上の移動量をＭＲとしたとき、
−８．００＜ＭＲ／ｆｗ＜−１．００
なる条件式を満足することを特徴とする請求項１乃至７のいずれか１項に記載のズームレンズ。
【請求項１０】
前記後群は、正の屈折力の第３レンズ群、正の屈折力の第４レンズ群から成ることを特徴とする請求項１乃至９のいずれか１項に記載のズームレンズ。
【請求項１１】
前記後群は、正の屈折力の第３レンズ群、負の屈折力の第４レンズ群、正の屈折力の第５レンズ群から成ることを特徴とする請求項１乃至９のいずれか１項に記載のズームレンズ。
【請求項１２】
前記後群は、負の屈折力の第３レンズ群、正の屈折力の第４レンズ群、負の屈折力の第５レンズ群、正の屈折力の第６レンズ群から成ることを特徴とする請求項１乃至９のいずれか１項に記載のズームレンズ。
【請求項１３】
請求項１乃至１２のいずれか１項に記載のズームレンズと、該ズームレンズによって形成される像を受光する固体撮像素子とを有することを特徴とする撮像装置。
【発明の詳細な説明】
【技術分野】
【０００１】
本発明はズームレンズ及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
近年、固体撮像素子を用いたデジタルスチルカメラ、ビデオカメラ等の撮像装置は高機能化され、かつ装置全体が小型化されている。これらの装置に用いられるズームレンズは、高倍率、広画角かつ小型で、全てのズーム領域において良好な光学性能を有することが求められている。こうした要求に応えるべく、物体側より像側へ順に正、負、正の屈折力を有するレンズ群を含むズームレンズが知られている。
【０００３】
しかし、ズームレンズの高倍化を図ると、望遠端における焦点距離が長くなり、軸上色収差が多く発生する。こうした軸上色収差を低減するために、第１レンズ群に含まれる負レンズの材料に異常分散ガラスを用いたズームレンズが知られている（特許文献１、特許文献２）。
【先行技術文献】
【特許文献】
【０００４】
【特許文献１】特開２００８−１９１２９１号公報
【特許文献２】特開２００８−１９１２８６号公報
【発明の概要】
【発明が解決しようとする課題】
【０００５】
一般に、小型かつ高倍率の撮影光学系を得るためには、撮影光学系を構成する各レンズ群の屈折力を強めつつ、各レンズ群を構成するレンズの枚数を削減すればよい。しかし、レンズ群の屈折力を強めると、レンズ群を構成するレンズのレンズ面の屈折力を強めることになり、レンズのコバ厚を確保するためにレンズの肉厚が増大する。その結果、前玉径（前玉有効径）が大きくなり、光学系の小型化を実現することが困難になる。また、望遠端における焦点距離が長くなることにより、色収差が多く発生し、これらを補正することが困難になる。
【０００６】
本発明は、色収差が良好に補正されたズームレンズ及びそれを有する撮像装置を提供することを目的とする。
【課題を解決するための手段】
【０００７】
本発明のズームレンズは、物体側より像側へ順に、正の屈折力の第１レンズ群、負の屈折力の第２レンズ群、複数のレンズ群を含む後群により構成され、広角端に比べて望遠端において前記第１レンズ群と前記第２レンズ群の間隔が大きくなるズームレンズにおいて、前記後群は、正の屈折力を有するレンズ群を複数含み、前記後群に含まれる、正の屈折力を有するレンズ群の中で変倍比が最も高いレンズ群をレンズ群Ｒとして、前記第１レンズ群は、正レンズと負レンズを有し、前記レンズ群Ｒは、正レンズと負レンズを有し、前記第１レンズ群に配置された正レンズの中で、レンズの材料のアッベ数が最も大きい正レンズの材料のアッベ数をνｄ１ｐ、部分分散比をθｇＦ１ｐ、前記第１レンズ群に配置された負レンズの中で、レンズの材料のアッベ数が最も小さい負レンズの材料のアッベ数をνｄ１ｎ、部分分散比をθｇＦ１ｎ、前記レンズ群Ｒに配置された正レンズの中で、レンズの材料のアッベ数が最も大きい正レンズの材料のアッベ数をνｄＲｐ、部分分散比をθｇＦＲｐ、前記レンズ群Ｒに配置された負レンズの中で、レンズの材料のアッベ数が最も小さい負レンズの材料のアッベ数をνｄＲｎ、部分分散比をθｇＦＲｎとしたとき、
５．０＜νｄ１ｎ＜２７．０
５．０＜νｄＲｎ＜２７．０
θｇＦ１ｎ＜２．３８１×１０−４・νｄ１ｎ２−１．４４８×１０−２・νｄ１ｎ＋０．８２２３
θｇＦＲｎ＜２．３８１×１０−４・νｄＲｎ２−１．４４８×１０−２・νｄＲｎ＋０．８２２３
−０．００１５０＜（θｇＦ１ｎ−θｇＦ１ｐ）／（νｄ１ｎ−νｄ１ｐ）＜０．０００００
−０．００１５０＜（θｇＦＲｎ−θｇＦＲｐ）／（νｄＲｎ−νｄＲｐ）＜０．０００００
なる条件式を満足することを特徴とする。
【発明の効果】
【０００８】
本発明によれば、色収差が良好に補正されたズームレンズ及びそれを有する撮像装置が得られる。
【図面の簡単な説明】
【０００９】
【図１】実施例１のズームレンズの広角端におけるレンズ断面図
【図２】（Ａ）、（Ｂ）、（Ｃ）実施例１のズームレンズの広角端、中間のズーム位置、望遠端における収差図
【図３】実施例２のズームレンズの広角端におけるレンズ断面図
【図４】（Ａ）、（Ｂ）、（Ｃ）実施例２のズームレンズの広角端、中間のズーム位置、望遠端における収差図
【図５】実施例３のズームレンズの広角端におけるレンズ断面図
【図６】（Ａ）、（Ｂ）、（Ｃ）実施例３のズームレンズの広角端、中間のズーム位置、望遠端における収差図
【図７】実施例４のズームレンズの広角端におけるレンズ断面図
【図８】（Ａ）、（Ｂ）、（Ｃ）実施例４のズームレンズの広角端、中間のズーム位置、望遠端における収差図
【図９】実施例５のズームレンズの広角端におけるレンズ断面図
【図１０】（Ａ）、（Ｂ）、（Ｃ）実施例５のズームレンズの広角端、中間のズーム位置、望遠端における収差図
【図１１】本発明の撮像装置の要部概略図
【図１２】θｇＦ−νｄ図
【発明を実施するための形態】
【００１０】
以下、本発明のズームレンズ及びそれを有する撮像装置について、添付の図面に基づいて詳細に説明する。本発明のズームレンズは、物体側より像側へ順に、正の屈折力の第１レンズ群、負の屈折力の第２レンズ群、複数のレンズ群を含む後群から構成される。ここで、レンズ群は、１枚以上のレンズを有していればよく、必ずしも複数枚のレンズを有していなくてもよい。また、後群は、正の屈折力を有するレンズ群を複数含む。
【００１１】
図１は実施例１のズームレンズの広角端におけるレンズ断面図である。図２（Ａ）、（Ｂ）、（Ｃ）はそれぞれ実施例１のズームレンズの広角端、中間のズーム位置、望遠端における収差図である。実施例１はズーム比２９．１３、開口比３．６１〜１０．００程度のズームレンズである。図３は実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比２９．２１、開口比３．５７〜１０．００程度のズームレンズである。
【００１２】
図５は実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比３０．００、開口比３．４３〜１０．００程度のズームレンズである。図７は実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比１９．０３、開口比３．６３〜７．０７程度のズームレンズである。
【００１３】
図９は実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比１５．３１、開口比３．３６〜６．１８程度のズームレンズである。図１１は本発明のズームレンズを備えるデジタルスチルカメラ（撮像装置）の要部概略図である。図１２は、θｇＦ−νｄ図である。各実施例のズームレンズはビデオカメラやデジタルスチルカメラ、銀塩フィルムカメラ、テレビカメラ等の撮像装置に用いられる撮影レンズ系である。レンズ断面図において左方が物体側（前方）で、右方が像側（後方）である。またレンズ断面図において、ｉを物体側から像側へのレンズ群の順番とするとＬｉは第ｉレンズ群を示す。
【００１４】
実施例１乃至３のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から成る。実施例１乃至３は５つのレンズ群から成るポジティブリード型の５群ズームレンズであり、後群は、正の屈折力の第３レンズ群Ｌ３、負の屈折力の第４レンズ群Ｌ４、正の屈折力の第５レンズ群Ｌ５から成る。
【００１５】
実施例４のズームレンズは、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４から成る。実施例４は４つのレンズ群から成るポジティブリード型の４群ズームレンズであり、後群は、正の屈折力の第３レンズ群Ｌ３、正の屈折力の第４レンズ群Ｌ４から成る。
【００１６】
実施例５のズームレンズは、物体側より像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６から成る。実施例５は６つのレンズ群から成るポジティブリード型の６群ズームレンズであり、後群は、負の屈折力の第３レンズ群Ｌ３、正の屈折力の第４レンズ群Ｌ４、負の屈折力の第５レンズ群Ｌ５、正の屈折力の第６レンズ群Ｌ６から成る。また、実施例５のズームレンズでは、第２レンズ群Ｌ２と第３レンズ群Ｌ３の間に、光路を折り曲げるプリズムを有している。これにより、ズームレンズを沈胴させる構成とすることで、撮像装置を薄型化することができる。
【００１７】
各実施例において、ＳＰは開口絞りであり、実施例１乃至３では、開口絞りＳＰは、第３レンズ群Ｌ３の中に配置される。これにより望遠端における第２レンズ群Ｌ２と第３レンズ群Ｌ３の間隔を小さくすることが可能となり、ズームレンズの高倍化を実現することができる。実施例４では、開口絞りＳＰは、第２レンズ群Ｌ２と第３レンズ群Ｌ３の間に位置し、ズーミングに際して第３レンズ群Ｌ３と一体に移動する。これにより、メカ機構を簡素化することができる。実施例５では、開口絞りＳＰは、第４レンズ群Ｌ４の中に配置される。これにより望遠端における第３レンズ群Ｌ３と第４レンズ群Ｌ４の間隔を小さくすることが可能となり、ズームレンズの高倍化を実現することができる。
【００１８】
Ｇは光学フィルター、フェースプレート、ローパスフィルター、赤外カットフィルター等に相当する光学ブロックである。ＩＰは像面である。ビデオカメラやデジタルカメラの撮像光学系としてズームレンズを使用する際には、像面ＩＰはＣＣＤセンサやＣＭＯＳセンサといった固体撮像素子（光電変換素子）に相当する。銀塩フィルムカメラの撮像光学系としてズームレンズを使用する際には、像面ＩＰはフィルム面に相当する。
【００１９】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面、ΔＭはメリディオナル像面である。歪曲収差はｄ線について示している。倍率色収差図ではｇ線における倍率色収差を示している。ωは撮像半画角である。
【００２０】
各実施例では、レンズ断面図中の矢印で示すように、広角端から望遠端へのズーミングに際してレンズ群が移動し、隣り合うレンズ群の間隔が変化する。
【００２１】
具体的には、実施例１乃至３では、広角端に比べて望遠端において、第１レンズ群Ｌ１と第２レンズ群Ｌ２の間隔が大きくなり、第２レンズ群Ｌ２と第３レンズ群Ｌ３の間隔が小さくなる。また、第３レンズ群Ｌ３と第４レンズ群Ｌ４の間隔が大きくなり、第４レンズ群Ｌ４と第５レンズ群Ｌ５の間隔が大きくなる。また、広角端に比べて望遠端において、第１レンズ群Ｌ１、第３レンズ群Ｌ３、第４レンズ群Ｌ４は物体側に位置している。第２レンズ群Ｌ２は、広角端から望遠端へのズーミングに際して像側に凸状の軌跡を描くように移動する。第５レンズ群Ｌ５は、広角端から望遠端へのズーミングに際して物体側に凸状の軌跡を描くように移動する。
【００２２】
実施例４では、広角端に比べて望遠端において、第１レンズ群Ｌ１と第２レンズ群Ｌ２の間隔が大きくなり、第２レンズ群Ｌ２と第３レンズ群Ｌ３の間隔が小さくなり、第３レンズ群Ｌ３と第４レンズ群Ｌ４の間隔が大きくなる。また、広角端に比べて望遠端において、第１レンズ群Ｌ１、第３レンズ群Ｌ３は物体側に位置している。第２レンズ群Ｌ２は、広角端から望遠端へのズーミングに際して像側に凸状の軌跡を描くように移動する。第４レンズ群Ｌ４は、広角端から望遠端へのズーミングに際して物体側に凸状の軌跡を描くように移動する。
【００２３】
実施例５では、広角端に比べて望遠端において、第１レンズ群Ｌ１と第２レンズ群Ｌ２の間隔が大きくなり、第２レンズ群Ｌ２と第３レンズ群Ｌ３の間隔が小さくなる。また、第３レンズ群Ｌ３と第４レンズ群Ｌ４の間隔が小さくなり、第４レンズ群Ｌ４と第５レンズ群Ｌ５の間隔が大きくなり、第５レンズ群Ｌ５と第６レンズ群Ｌ６の間隔が大きくなる。また、広角端に比べて望遠端において、第１レンズ群Ｌ１、第４レンズ群Ｌ４は物体側に位置していて、第２レンズ群Ｌ２は像側に位置している。第６レンズ群Ｌ６は広角端から望遠端へのズーミングに際して物体側に凸状の軌跡を描くように移動する。第３レンズ群Ｌ３及び第５レンズ群Ｌ５はズーミングに際して不動である。
【００２４】
各実施例では、開口絞りＳＰより像側に配置されたレンズ群の変倍分担を高めることで、開口絞りＳＰより物体側に配置されたレンズ群の変倍分担を低減させている。これにより、ズーミングにおける第１レンズ群Ｌ１の物体側への移動量が減少し、望遠端におけるレンズ全長を短縮することができる。
【００２５】
各実施例では、異常分散性を有する材料を用いたレンズを用いて、色収差の低減を図っている。以下、異常分散性を有する材料を用いて色収差を低減させる方法について説明する。
【００２６】
図１２は、一般の光学ガラスにおいて縦軸に部分分散比θｇＦが上方向に大きな値となるように、横軸にアッベ数が左方向に大きな値となるようにとったグラフ（以下「θｇＦ−νｄ図」と呼ぶ）である。このθｇＦ−νｄ図上に材料をマッピングさせると、ノーマルラインと呼ばれる直線に沿って分布することが知られている。本発明において、ノーマルラインは、
θｇＦ＝−０．００１６８２×νｄ＋０．６４３８
なる式で表される。
【００２７】
ここで、アッベ数νｄ、部分分散比θｇＦは、ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、
νｄ＝（Ｎｄ−１）／（ＮＦ−ＮＣ）
θｇＦ＝（Ｎｇ−ＮＦ）／（ＮＦ−ＮＣ）
で表される数値である。
【００２８】
ポジティブリード型のズームレンズでは、軸上光束のマージナル光線は、第１レンズ群Ｌ１や、レンズ群Ｒ（第１レンズ群Ｌ１、第２レンズ群Ｌ２を除く、正の屈折力を有するレンズ群の中で、最も変倍比の高いレンズ群）で比較的高い位置を通る。ここで、変倍比は、望遠端における横倍率を広角端における横倍率で除算したものである。そのため、第１レンズ群Ｌ１やレンズ群Ｒで軸上色収差や、球面収差が発生しやすい。望遠端において複数の周波数における球面収差の補正を図ると、軸上色収差が大きくなるため、軸上色収差の２次スペクトルは可能な限り小さいことが好ましい。以下の表１に示すように、実施例１乃至４では、第３レンズ群Ｌ３がレンズ群Ｒであり、実施例５では、第４レンズ群Ｌ４がレンズ群Ｒである。
【００２９】
【表１】
2015114335.tif 000003
【００３０】
第１レンズ群Ｌ１、レンズ群Ｒにおいて、軸上色収差の２次スペクトルを低減するためには、θｇＦ−νｄ図において、第１レンズ群Ｌ１、レンズ群Ｒを構成する正レンズと負レンズの硝材を結んだ直線の傾きを小さくすることが必要である。
【００３１】
例えば、蛍石のようにアッベ数νｄが大きく、θｇＦ−νｄ図においてノーマルラインから部分分散比θｇＦが大きくなる方向に離れた領域に存在する材料を、第１レンズ群Ｌ１、レンズ群Ｒに含まれる正レンズに用いるのが良い。また、ランタン系の硝材のように、θｇＦ−νｄ図においてノーマルラインから部分分散比θｇＦが小さくなる方向に離れた領域に存在する材料を、第１レンズ群Ｌ１、レンズ群Ｒに含まれる負レンズに用いるのが良い。
【００３２】
これらの組み合わせにより、第１レンズ群Ｌ１、レンズ群Ｒに含まれる正レンズと負レンズを構成する硝材を結ぶ直線の傾きがノーマルラインよりも小さくなり、軸上色収差の二次スペクトルを良好に補正することができる。このように第１レンズ群Ｌ１、レンズ群Ｒに含まれるレンズの材料を最適化することにより、軸上色収差の２次スペクトルを良好に補正することができる。
【００３３】
各実施例では、以下の条件式（１）乃至（６）を満足している。
５．０＜νｄ１ｎ＜２７．０…（１）
５．０＜νｄＲｎ＜２７．０…（２）
θｇＦ１ｎ＜２．３８１×１０−４・νｄ１ｎ２−１．４４８×１０−２・νｄ１ｎ＋０．８２２３…（３）
θｇＦＲｎ＜２．３８１×１０−４・νｄＲｎ２−１．４４８×１０−２・νｄＲｎ＋０．８２２３…（４）
−０．００１５０＜（θｇＦ１ｎ−θｇＦ１ｐ）／（νｄ１ｎ−νｄ１ｐ）＜０．０００００…（５）
−０．００１５０＜（θｇＦＲｎ−θｇＦＲｐ）／（νｄＲｎ−νｄＲｐ）＜０．０００００…（６）
【００３４】
ここで、第１レンズ群Ｌ１に配置された正レンズの中で、レンズの材料のアッベ数が最も大きい正レンズの材料のアッベ数をνｄ１ｐ、部分分散比をθｇＦ１ｐとする。また、第１レンズ群Ｌ１に配置された負レンズの中で、レンズの材料のアッベ数が最も小さい負レンズの材料のアッベ数をνｄ１ｎ、部分分散比をθｇＦ１ｎとする。レンズ群Ｒに配置された正レンズの中で、レンズの材料のアッベ数が最も大きい正レンズの材料のアッベ数をνｄＲｐ、部分分散比をθｇＦＲｐとする。さらに、レンズ群Ｒに配置された負レンズの中で、レンズの材料のアッベ数が最も小さい負レンズの材料のアッベ数をνｄＲｎ、部分分散比をθｇＦＲｎとする。
【００３５】
条件式（１）の上限を超えて、第１レンズ群Ｌ１に配置された負レンズの中で、レンズの材料のアッベ数が最も小さい負レンズの材料のアッベ数νｄ１ｎが大きくなると、該負レンズによって色収差を十分に補正することが困難になる。色収差を補正するためには、該負レンズの屈折力を強くする必要が生じ、結果として、全てのズーム領域において球面収差やコマ収差が多く発生するため、好ましくない。
【００３６】
条件式（１）の下限を超えて、第１レンズ群Ｌ１に配置された負レンズの中で、レンズの材料のアッベ数が最も小さい負レンズの材料のアッベ数νｄ１ｎが小さくなると、条件式（３）を満足する領域において、実在する材料が限定されるため、好ましくない。
【００３７】
条件式（２）の上限を超えて、レンズ群Ｒに配置された負レンズの中で、レンズの材料のアッベ数が最も小さい負レンズの材料のアッベ数νｄＲｎが大きくなると、該負レンズによって色収差を十分に補正することが困難になる。色収差を補正するためには、該負レンズの屈折力を強くする必要が生じ、結果として、全てのズーム領域において球面収差やコマ収差が多く発生するため、好ましくない。
【００３８】
条件式（２）の下限を超えて、レンズ群Ｒに配置された負レンズの中で、レンズの材料のアッベ数が最も小さい負レンズの材料のアッベ数νｄＲｎが小さくなると、条件式（４）を満足する領域において、実在する材料が限定されるため、好ましくない。
【００３９】
条件式（３）の上限を超えて、第１レンズ群Ｌ１に配置された負レンズの中で、アッベ数が最も小さい負レンズの部分分散比θｇＦ１ｎが大きくなると、望遠側の軸上色収差の２次スペクトルを十分に補正することが困難になるため、好ましくない。
【００４０】
条件式（４）の上限を超えて、レンズ群Ｒに配置された負レンズの中で、アッベ数が最も小さい負レンズの部分分散比θｇＦＲｎが大きくなると、望遠側の軸上色収差の２次スペクトルを十分に補正することが困難になるため、好ましくない。
【００４１】
条件式（５）は、第１レンズ群Ｌ１に含まれる正レンズと負レンズの部分分散比の差と、アッベ数の差の関係を規定したものである。望遠側における２次スペクトルを低減するためには、第１レンズ群Ｌ１に含まれる正レンズの部分分散比と負レンズの部分分散比の差が小さくなるように、レンズを構成する材料を選択することが好ましい。また、色収差を十分に補正するためには、第１レンズ群Ｌ１に含まれる正レンズの材料のアッベ数と、負レンズの材料のアッベ数の差が大きくなるように、レンズを構成する材料を選択することが好ましい。よって条件式（５）の数値が０に近くなるように、レンズを構成する材料を選択することが好ましい。ここで、条件式（５）の上限を超えると、正レンズの材料と負のレンズの材料の選択の組み合わせが限定されるため、好ましくない。条件式（５）の下限を超えると、軸上色収差の２次スペクトルを十分に補正することが困難になるため、好ましくない。
【００４２】
条件式（６）は、レンズ群Ｒに含まれる正レンズと負レンズの部分分散比の差と、アッベ数の差の関係を規定したものである。望遠側における２次スペクトルを低減するためには、レンズ群Ｒに含まれる正レンズの部分分散比と負レンズの部分分散比の差が小さくなるように、レンズを構成する材料を選択することが好ましい。また、色収差を十分に補正するためには、レンズ群Ｒに含まれる正レンズの材料のアッベ数と、負レンズの材料のアッベ数の差が大きくなるように、レンズを構成する材料を選択することが好ましい。よって条件式（６）の数値が０に近くなるように、レンズを構成する材料を選択することが好ましい。ここで、条件式（６）の上限を超えると、正レンズの材料と負のレンズの材料の選択の組み合わせが限定されるため、好ましくない。条件式（６）の下限を超えると、軸上色収差の２次スペクトルを十分に補正することが困難になるため、好ましくない。
【００４３】
各実施例では上記の如く、条件式（１）乃至（６）を満足するように各要素を適切に設定している。これにより、色収差が良好に補正されたズームレンズを得ることができる。
【００４４】
なお、各実施例において、好ましくは条件式（１）、（２）、（５）、（６）の数値範囲を次のようにするのがよい。
１５．０＜νｄ１ｎ＜２６．５…（１ａ）
１５．０＜νｄＲｎ＜２６．５…（２ａ）
−０．００１４０＜（θｇＦ１ｎ−θｇＦ１ｐ）／（νｄ１ｎ−νｄ１ｐ）＜−０．０００３０…（５ａ）
−０．００１４９＜（θｇＦＲｎ−θｇＦＲｐ）／（νｄＲｎ−νｄＲｐ）＜−０．０００５０…（６ａ）
【００４５】
また、更に好ましくは条件式（１）、（２）、（５）、（６）の数値範囲を次の如く設定するのが良い。
１７．０＜νｄ１ｎ＜２６．０…（１ｂ）
１７．０＜νｄＲｎ＜２６．０…（２ｂ）
−０．００１３０＜（θｇＦ１ｎ−θｇＦ１ｐ）／（νｄ１ｎ−νｄ１ｐ）＜−０．０００５０…（５ｂ）
−０．００１４８＜（θｇＦＲｎ−θｇＦＲｐ）／（νｄＲｎ−νｄＲｐ）＜−０．０００６０…（６ｂ）
【００４６】
さらに、各実施例において、次の条件式のうち１つ以上を満足することがより好ましい。ここで、第１レンズ群Ｌ１の焦点距離をｆ１、第２レンズ群Ｌ２の焦点距離をｆ２、レンズ群Ｒの焦点距離をｆＲ、広角端における全系の焦点距離をｆｗ、望遠端における全系の焦点距離をｆｔとする。第１レンズ群Ｌ１に配置された負レンズの中で、レンズの材料のアッベ数が最も小さい負レンズの焦点距離をｆ１ｎ、レンズ群Ｒに配置された負レンズの中で、レンズの材料のアッベ数が最も小さい負レンズの焦点距離をｆＲｎとする。また、広角端から望遠端へのズーミングにおける第１レンズ群Ｌ１の光軸上の移動量をＭ１、広角端から望遠端へのズーミングにおける第２レンズ群Ｌ２の光軸上の移動量をＭ２とする。さらに、広角端から望遠端へのズーミングにおけるレンズ群Ｒの光軸上の移動量をＭＲとしたとき、
０．１０＜ｆ１／ｆｔ＜０．７０…（７）
−０．２００＜ｆ２／ｆｔ＜−０．０１０…（８）
０．０２０＜ｆＲ／ｆｔ＜０．３００…（９）
−４．００＜ｆ１ｎ／ｆ１＜−１．００…（１０）
−３．００＜ｆＲｎ／ｆＲ＜−１．００…（１１）
−１０．００＜Ｍ１／ｆｗ＜−１．００…（１２）
−４．００＜Ｍ２／ｆｗ＜３．００…（１３）
−８．００＜ＭＲ／ｆｗ＜−１．００…（１４）
なる条件式のうち１つ以上を満足するのがよい。ここで移動量とは、広角端と望遠端における各レンズ群の光軸上での位置の差であり、移動量の符号は広角端に比べて望遠端で物体側に位置するときを負、像側に位置するときを正とする。
【００４７】
条件式（７）の上限を超えて、第１レンズ群Ｌ１の焦点距離が長くなると、第１レンズ群Ｌ１の屈折力が弱くなり、広角端における軸外光束を屈曲させる作用が弱くなる。その結果、第１レンズ群Ｌ１の有効径が増大し、レンズ系の小型化を実現することが困難になるため、好ましくない。
【００４８】
条件式（７）の下限を超えて、第１レンズ群Ｌ１の焦点距離が短くなると、第１レンズ群Ｌ１の屈折力が強くなる。その結果、広角側で像面湾曲や歪曲収差、倍率色収差が多く発生し、これらを十分に補正することが困難になるため、好ましくない。
【００４９】
条件式（８）の上限を超えて、第２レンズ群Ｌ２の焦点距離が短くなると、第２レンズ群Ｌ２の屈折力が強くなる。その結果、広角側で像面湾曲が多く発生し、さらに望遠側で球面収差が多く発生し、これらを十分に補正することが困難になるため、好ましくない。
【００５０】
条件式（８）の下限を超えて、第２レンズ群Ｌ２の焦点距離が長くなると、第２レンズ群Ｌ２の屈折力が弱くなり、高倍化を実現することが困難になるため、好ましくない。
【００５１】
条件式（９）の上限を超えて、レンズ群Ｒの焦点距離が長くなると、レンズ群Ｒの屈折力が弱くなり、高倍化を実現することが困難になるため、好ましくない。
【００５２】
条件式（９）の下限を超えて、レンズ群Ｒの焦点距離が短くなると、レンズ群Ｒの屈折力が強くなる。その結果、球面収差やコマ収差、軸上色収差が多く発生し、これらを十分に補正することが困難になるため、好ましくない。
【００５３】
条件式（１０）の上限を超えて、第１レンズ群Ｌ１に配置された負レンズの中で、レンズの材料のアッベ数が最も小さい負レンズの焦点距離ｆ１ｎが短くなると、該負レンズの屈折力が強くなる。結果として、望遠側において球面収差が多く発生するため好ましくない。
【００５４】
条件式（１０）の下限を超えて、第１レンズ群Ｌ１に配置された負レンズの中で、レンズの材料のアッベ数が最も小さい負レンズの焦点距離ｆ１ｎが長くなると、該負レンズの屈折力が弱くなる。結果として、第１レンズ群Ｌ１において色収差を十分に補正することが困難になるため、好ましくない。
【００５５】
条件式（１１）の上限を超えて、レンズ群Ｒに配置された負レンズの中で、レンズの材料のアッベ数が最も小さい負レンズの焦点距離ｆＲｎが短くなると、該負レンズの屈折力が強くなる。結果として、全ズーム領域においてコマ収差が多く発生するため好ましくない。
【００５６】
条件式（１１）の下限を超えて、レンズ群Ｒに配置された負レンズの中で、レンズの材料のアッベ数が最も小さい負レンズの焦点距離ｆＲｎが長くなると、該負レンズの屈折力が弱くなる。結果として、レンズ群Ｒにおいて色収差を十分に補正することが困難になるため、好ましくない。
【００５７】
条件式（１２）の上限を超えて、第１レンズ群Ｌ１の移動量Ｍ１が小さくなると、高倍化を実現するために、第１レンズ群Ｌ１の屈折力を強くする必要が生じる。その結果、望遠側において球面収差が多く発生するため好ましくない。条件式（１２）の下限値を超えて、第１レンズ群Ｌ１の移動量Ｍ１が大きくなるとレンズ全長が増大するため、好ましくない。
【００５８】
条件式（１３）の上限を超えて、第２レンズ群Ｌ２の像側への移動量Ｍ２が大きくなると、第３レンズ群Ｌ３の物体側への移動量が小さくなる。この結果、第３レンズ群Ｌ３の変倍作用が弱くなり、高倍化を実現することが困難になるため、好ましくない。
【００５９】
条件式（１３）の下限を超えて、第２レンズ群Ｌ２の物体側への移動量Ｍ２が大きくなると、第１レンズ群Ｌ１の物体側への移動量も大きくなり、レンズ全長が増大するため、好ましくない。
【００６０】
条件式（１４）の上限を超えて、レンズ群Ｒの像側への移動量ＭＲが小さくなると、レンズ群Ｒの変倍作用が弱くなり、高倍化を実現することが困難になるため、好ましくない。条件式（１４）の下限を超えて、レンズ群Ｒの物体側への移動量ＭＲが大きくなると、レンズ群Ｒと一体で移動する開口絞りＳＰの移動量も大きくなる。これにより、ズーミングに伴うＦナンバーの変動が大きくなり、望遠端におけるＦナンバーが暗くなるため、好ましくない。
【００６１】
また、好ましくは条件式（７）乃至（１４）の数値範囲を次の如く設定すると、各条件式がもたらす効果を最大限に得られる。
０．１５＜ｆ１／ｆｔ＜０．６０…（７ａ）
−０．１５０＜ｆ２／ｆｔ＜−０．０２０…（８ａ）
０．０４０＜ｆＲ／ｆｔ＜０．２８０…（９ａ）
−３．５０＜ｆ１ｎ／ｆ１＜−１．２０…（１０ａ）
−２．５０＜ｆＲｎ／ｆＲ＜−１．１０…（１１ａ）
−９．００＜Ｍ１／ｆｗ＜−１．５０…（１２ａ）
−３．００＜Ｍ２／ｆｗ＜２．００…（１３ａ）
−７．００＜ＭＲ／ｆｗ＜−１．５０…（１４ａ）
【００６２】
また、更に好ましくは条件式（７）乃至（１４）の数値範囲を次の如く設定するのが良い。
０．２０＜ｆ１／ｆｔ＜０．５０…（７ｂ）
−０．１００＜ｆ２／ｆｔ＜−０．０３０…（８ｂ）
０．０６０＜ｆＲ／ｆｔ＜０．２５０…（９ｂ）
−３．００＜ｆ１ｎ／ｆ１＜−１．４０…（１０ｂ）
−２．３０＜ｆＲｎ／ｆＲ＜−１．２０…（１１ｂ）
−８．００＜Ｍ１／ｆｗ＜−２．００…（１２ｂ）
−２．５０＜Ｍ２／ｆｗ＜１．５０…（１３ｂ）
−６．００＜ＭＲ／ｆｗ＜−２．００…（１４ｂ）
【００６３】
次に、各レンズ群の構成に関して説明する。第１レンズ群Ｌ１に関しては、各実施例において、物体側より像側へ順に、負レンズと正レンズの接合レンズ、正レンズから構成される。各実施例において、ズームレンズの高倍化と小型化を両立させるために、第１レンズ群Ｌ１の屈折力を比較的強くしている。その結果、第１レンズ群Ｌ１において、望遠端における球面収差が多く発生する。各実施例では、正の屈折力を２枚のレンズで分担することにより、球面収差の発生を低減している。
【００６４】
また、第１レンズ群Ｌ１の屈折力を比較的強くすることにより、望遠側において色収差が多く発生する。各実施例では、アッベ数が大きい材料を用いて正レンズを構成し、アッベ数が小さい材料を用いて負レンズを構成することにより、各レンズの屈折力を強めることなく第１レンズ群Ｌ１の色消しを実現している。特に、望遠側において軸上色収差と倍率色収差を良好に補正している。さらに各実施例において、第１レンズ群に配置された正レンズの中で、レンズの材料のアッベ数が最も大きい正レンズを部分分散比が比較的大きな材料を用いて構成している。さらに、第１レンズ群に配置された負レンズの中で、レンズの材料のアッベ数が最も小さい負レンズを部分分散比が比較的小さな材料を用いて構成している。これにより、軸上色収差の２次スペクトルを良好に補正することができる。
【００６５】
第２レンズ群Ｌ２に関しては、各実施例において、物体側より像側へ順に、負レンズ、負レンズ、正レンズから構成される。第２レンズ群Ｌ２の屈折力を比較的強くすると、広角側における像面湾曲が多く発生し、また、望遠側における球面収差が多く発生する。各実施例では、第２レンズ群Ｌ２における負の屈折力を２枚のレンズで分担することにより、これらの収差の発生を低減させている。
【００６６】
第３レンズ群Ｌ３に関しては、実施例１乃至４では、物体側より像側へ順に、正レンズ、負レンズ、正レンズから構成される。実施例１乃至４において、第３レンズ群Ｌ３の変倍分担を高めることにより、広角端におけるレンズ全長を短縮するために、第３レンズ群Ｌ３の屈折力を比較的強くしている。第３レンズ群Ｌ３の屈折力を強くすると、全ズーム領域において球面収差やコマ収差、軸上色収差が多く発生しやすい。実施例１乃至４では、第３レンズ群Ｌ３における正の屈折力を２枚のレンズで分担することにより、これらの収差を低減させている。
【００６７】
また、第３レンズ群Ｌ３の屈折力を強くすることにより、望遠側において色収差が多く発生する。各実施例では、アッベ数が大きい材料を用いて正レンズを構成し、アッベ数が小さい材料を用いて負レンズを構成することにより、各レンズの屈折力を強めることなく第３レンズ群Ｌ３の色消しを実現している。特に、望遠側において軸上色収差と倍率色収差を良好に補正している。さらに各実施例において、第３レンズ群Ｌ３に配置された正レンズの中で、レンズの材料のアッベ数が最も大きい正レンズを部分分散比が比較的大きな材料を用いて構成している。さらに、第３レンズ群Ｌ３に配置された負レンズの中で、レンズの材料のアッベ数が最も小さい負レンズを部分分散比が比較的小さな材料を用いて構成している。これにより、軸上色収差の２次スペクトルを良好に補正することができる。
【００６８】
また、実施例５では、第３レンズ群Ｌ３を１枚の負レンズから構成している。これにより、ズームレンズの光軸方向の小型化や軽量化を図っている。
【００６９】
第４レンズ群Ｌ４に関しては、実施例１乃至３では、１枚の負レンズから構成される。これにより、ズームレンズの光軸方向の小型化や軽量化を図っている。実施例４では、物体側より像側へ順に、正レンズと負レンズの接合レンズから構成される。これにより、第４レンズ群Ｌ４の屈折力を比較的強くしたときにも、倍率色収差の発生を低減させることができる。
【００７０】
実施例５では、物体側より像側へ順に、正レンズ、負レンズ、正レンズと負レンズの接合レンズから構成される。実施例５では、第４レンズ群Ｌ４の変倍分担を高めることにより広角端におけるレンズ全長を短縮するために、第４レンズ群Ｌ４の屈折力を比較的強くしている。第４レンズ群Ｌ４の屈折力を強くすることで、全ズーム領域において球面収差やコマ収差、軸上色収差が多く発生する。実施例５では、第４レンズ群Ｌ４における正の屈折力を２枚のレンズで分担することにより、これらの収差の発生を低減させている。
【００７１】
また、第４レンズ群Ｌ４の屈折力を強くすることにより、望遠側において色収差が多く発生する。実施例５では、アッベ数が大きい材料を用いて正レンズを構成し、アッベ数が小さい材料を用いて負レンズを構成することにより、各レンズの屈折力を強めることなく第４レンズ群Ｌ４の色消しを実現している。特に、望遠側において軸上色収差と倍率色収差を良好に補正している。さらに実施例５において、第４レンズ群Ｌ４に配置された正レンズの中で、レンズの材料のアッベ数が最も大きい正レンズを部分分散比が比較的大きな材料を用いて構成している。さらに、第４レンズ群Ｌ４に配置された負レンズの中で、レンズの材料のアッベ数が最も小さい負レンズを部分分散比が比較的小さな材料を用いて構成している。これにより、軸上色収差の２次スペクトルを良好に補正することができる。
【００７２】
第５レンズ群Ｌ５に関しては、実施例１乃至３では、物体側より像側へ順に、正レンズと負レンズの接合レンズから構成される。これにより、第５レンズ群Ｌ５の屈折力を比較的強くしたときにも、倍率色収差の発生を低減させることができる。実施例５では、１枚の負レンズから構成している。これにより、ズームレンズの光軸方向の小型化や軽量化を図っている。
【００７３】
第６レンズ群Ｌ６に関しては、実施例５では、１枚の正レンズから構成している。これにより、ズームレンズの光軸方向の小型化や軽量化を図っている。
【００７４】
次に、本発明の実施例１〜５にそれぞれ対応する数値実施例１〜５を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。
【００７５】
またｋを離心率、Ａ４、Ａ６、Ａ８、Ａ１０を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０
で表示される。但しＲは近軸曲率半径である。また「ｅ−Ｚ」の表示は「１０−Ｚ」を意味する。数値実施例において最も像側の２つの面は、フィルター、フェースプレート等の光学ブロックの面である。
【００７６】
各実施例において、バックフォーカス（ＢＦ）は、レンズ系の最も像側の面から近軸像面までの距離を、空気換算長により表したものである。また、各数値実施例における上述した条件式との対応を表２に示す。
【００７７】
なお、広角端における有効像円径（イメージサークルの直径）を、望遠端における有効像円径に比べて小さくすることができる。これは、画像処理において画像を引き伸ばすことで、広角側において発生しやすい樽型の歪曲収差を補正することができるためである。
【００７８】
［数値実施例１］
単位 mm
面データ
面番号       r        d      nd         νd    θｇＦ
1         40.634    0.80   1.90798    25.6     0.603
2         23.816    3.00   1.49700    81.5     0.537
3        285.980    0.10
4         26.539    2.20   1.71300    53.9     0.546
5        156.038  (可変)
6       3702.482    0.42   1.88300    40.8     0.567
7          5.554    2.91
8        -19.501    0.40   1.80400    46.6     0.557
9         29.379    0.10
10         11.616    1.29   1.95906    17.5     0.660
11         47.059  (可変)
12*         8.677    1.30   1.62263    58.2     0.539
13*       -21.504    1.65
14(絞り)    ∞       0.75
15         15.701    0.50   1.90798    25.6     0.603
16          7.501    0.44
17*       -85.397    1.40   1.55332    71.7     0.540
18*        -9.707  (可変)
19       -122.836    0.40   1.88300    40.8     0.567
20         23.859  (可変)
21         15.838    2.80   1.77250    49.6     0.552
22        -27.112    0.50   1.95906    17.5     0.660
23        -81.077  (可変)
24          ∞       0.80   1.51633    64.1     0.535
25          ∞       1.33
像面        ∞
非球面データ
第12面
K = 1.08383e+000  A 4=-3.60033e-004  A 6= 2.52054e-005  A 8=-9.60692e-007  A10= 4.58790e-007
第13面
K = 0.00000e+000  A 4= 4.73779e-004  A 6= 6.00253e-005  A 8=-5.23633e-006  A10= 8.15817e-007
第17面
K = 0.00000e+000  A 4= 1.21522e-003  A 6= 1.54155e-004  A 8=-1.94984e-005  A10= 2.18702e-006
第18面
K =-8.00316e+000  A 4=-2.77078e-004  A 6= 1.04005e-004  A 8=-5.06667e-006  A10= 8.14801e-007
各種データ
ズーム比     29.13
広角     中間     望遠
焦点距離       4.63    20.68   135.00
Fナンバー      3.61     5.55    10.00
半画角        35.73    10.61     1.64
像高           3.33     3.88     3.88
レンズ全長    51.27    63.10    83.26
BF             9.67    17.33     2.84
d 5            0.71    13.37    26.18
d11           17.58     4.98     0.45
d18            0.68     4.20     9.95
d20            1.67     2.25    22.89
d23            7.81    15.48     0.98
ズームレンズ群データ
群  始面    焦点距離
1    1      39.11
2    6      -6.00
3   12      11.29
4   19     -22.60
5   21      18.79
【００７９】
［数値実施例２］
単位 mm
面データ
面番号       r        d      nd         νd    θｇＦ
1         38.032    0.80   1.93967    23.1     0.612
2         25.247    3.00   1.43875    94.9     0.534
3      -1996.810    0.10
4         26.357    2.20   1.71300    53.9     0.546
5        117.522  (可変)
6       -449.477    0.42   1.88300    40.8     0.567
7          5.613    2.91
8        -18.164    0.40   1.80400    46.6     0.557
9         26.328    0.10
10         11.842    1.29   1.95906    17.5     0.660
11         65.664  (可変)
12*         9.616    1.30   1.62263    58.2     0.539
13*       -16.508    1.65
14(絞り)    ∞       0.75
15         18.730    0.50   1.93967    23.1     0.612
16          8.561    0.33
17*       -31.096    1.20   1.49700    81.5     0.537
18*        -9.046  (可変)
19        -56.207    0.40   1.88300    40.8     0.567
20         41.739  (可変)
21         17.712    2.50   1.77250    49.6     0.552
22        -27.140    0.50   1.95906    17.5     0.660
23        -47.796  (可変)
24          ∞       0.80   1.51633    64.1     0.535
25          ∞       1.33
像面        ∞
非球面データ
第12面
K = 8.31019e-001  A 4=-4.69061e-004  A 6= 2.02440e-005  A 8=-5.26020e-006  A10= 2.86533e-007
第13面
K = 0.00000e+000  A 4= 3.48343e-004  A 6= 4.81382e-005  A 8=-1.02132e-005  A10= 6.72170e-007
第17面
K = 0.00000e+000  A 4= 2.71971e-003  A 6= 1.74006e-004  A 8=-1.67883e-005  A10= 2.90032e-006
第18面
K =-1.03856e+001  A 4= 2.62829e-004  A 6= 1.86517e-004  A 8=-4.21016e-006  A10= 1.56308e-006
各種データ
ズーム比     29.21
広角     中間     望遠
焦点距離       4.62     18.79    135.00
Fナンバー      3.57     5.32    10.00
半画角        35.79    11.65     1.64
像高           3.33     3.88     3.88
レンズ全長    51.22    62.92    82.25
BF            10.12    16.29     2.84
d 5            0.79    12.63    25.51
d11           17.04     5.32     0.45
d18            0.23     5.60    14.26
d20            2.70     2.74    18.85
d23            8.26    14.43     0.98
ズームレンズ群データ
群  始面    焦点距離
1    1      38.36
2    6      -5.90
3   12      11.72
4   19     -27.07
5   21      17.92
【００８０】
［数値実施例３］
単位 mm
面データ
面番号       r        d      nd         νd    θｇＦ
1         37.822    0.80   2.00500    20.0     0.590
2         27.305    3.20   1.43875    94.9     0.534
3       -220.194    0.10
4         26.741    2.00   1.71300    53.9     0.546
5         82.743  (可変)
6       1721.190    0.42   1.88300    40.8     0.567
7          5.466    2.72
8        -17.118    0.40   1.80400    46.6     0.557
9         24.863    0.10
10         11.355    1.29   1.95906    17.5     0.660
11         78.184  (可変)
12*         9.826    1.30   1.62263    58.2     0.539
13*       -15.564    1.65
14(絞り)    ∞       0.75
15         18.450    0.50   2.00500    20.0     0.590
16          8.761    0.28
17*       -24.269    1.20   1.55332    71.7     0.540
18*       -10.419  (可変)
19        -44.235    0.40   1.88300    40.8     0.567
20         69.553  (可変)
21         19.603    2.30   1.77250    49.6     0.552
22        -20.853    0.50   1.95906    17.5     0.660
23        -27.059  (可変)
24          ∞       0.80   1.51633    64.1     0.535
25          ∞       1.33
像面        ∞
非球面データ
第12面
K = 5.92830e-001  A 4=-6.07357e-004  A 6= 3.01234e-005  A 8=-8.11948e-006  A10= 8.97946e-007
第13面
K = 0.00000e+000  A 4= 2.36075e-004  A 6= 4.87042e-005  A 8=-1.02790e-005  A10= 1.18150e-006
第17面
K = 0.00000e+000  A 4= 3.52407e-003  A 6= 1.70302e-004  A 8=-5.34955e-006  A10= 2.53149e-006
第18面
K =-1.55415e+001  A 4= 8.77478e-004  A 6= 2.44808e-004  A 8=-9.73989e-006  A10= 2.87830e-006
各種データ
ズーム比     30.00
広角     中間     望遠
焦点距離       4.50    15.34    135.00
Fナンバー      3.43     5.00    10.00
半画角        36.53    14.18     1.64
像高           3.33     3.88     3.88
レンズ全長    51.24    63.08    83.22
BF            10.00    12.63     2.85
d 5            0.78    11.00    25.56
d11           16.91     6.89     0.45
d18            0.27    10.52    24.30
d20            3.37     2.13    10.15
d23            8.14    10.78     0.99
ズームレンズ群データ
群  始面    焦点距離
1    1      38.55
2    6      -5.94
3   12      12.40
4   19     -30.57
5   21      15.56
【００８１】
［数値実施例４］
単位 mm
面データ
面番号       r        d      nd         νd    θｇＦ
1         36.445    1.00   1.90798    25.6     0.603
2         24.370    2.90   1.49700    81.5     0.537
3        110.188    0.20
4         28.919    2.30   1.69680    55.5     0.543
5        128.011  (可変)
6       -208.104    0.65   1.80400    46.6     0.557
7          6.853    3.75
8        -16.320    0.50   1.69680    55.5     0.543
9         52.484    0.20
10         16.058    1.25   1.95906    17.5     0.660
11         53.416  (可変)
12(絞り)    ∞       1.02
13*         6.797    2.20   1.55332    71.7     0.540
14*       -28.714    0.62
15          8.404    0.70   1.90798    25.6     0.603
16          5.333    0.38
17          9.268    1.40   1.48749    70.2     0.530
18         11.609  (可変)
19         16.435    2.20   1.77250    49.6     0.552
20        -20.764    0.50   1.84666    23.9     0.620
21        317.434  (可変)
22          ∞       0.60   1.51633    64.1     0.535
23          ∞       1.85
像面        ∞
非球面データ
第13面
K =-2.12221e-001  A 4=-2.03046e-004  A 6= 3.68336e-006  A 8=-2.91033e-007  A10=-1.14353e-009
第14面
K = 4.01631e+001  A 4= 3.84141e-004  A 6= 9.38372e-006
各種データ
ズーム比     19.03
広角     中間     望遠
焦点距離       5.15    26.33    98.00
Fナンバー      3.63     4.61     7.07
半画角        33.51     8.37     2.26
像高           3.41     3.88     3.88
レンズ全長    58.99    69.65    86.71
BF             5.29    16.03     3.45
d 5            0.70    18.94    29.03
d11           21.06     3.51     1.05
d18           10.15     9.39    31.40
d21            3.05    13.79     1.21
ズームレンズ群データ
群  始面    焦点距離
1    1      45.07
2    6      -7.14
3   13      14.18
4   19      24.30
【００８２】
［数値実施例５］
単位 mm
面データ
面番号       r        d      nd         νd    θｇＦ
1         34.863    0.85   1.90798    25.6     0.603
2         19.825    4.10   1.49700    81.5     0.537
3        186.233    0.05
4         22.087    2.15   1.77250    49.6     0.552
5        128.649  (可変)
6        146.331    0.70   1.85135    40.1     0.569
7*         7.003    3.80
8        -12.046    0.40   1.88300    40.8     0.567
9         41.033    0.15
10         22.994    1.75   1.95906    17.5     0.660
11        -31.289  (可変)
12          ∞       8.50   1.80610    33.3     0.588
13          ∞       1.00
14        -12.019    0.50   1.48749    70.2     0.530
15        -19.774  (可変)
16*         8.155    1.90   1.55332    71.7     0.540
17*       -72.093    0.80
18(絞り)    ∞       1.00
19         10.647    0.60   1.93967    23.1     0.612
20          7.969    1.40
21*        61.797    2.70   1.58313    59.4     0.542
22         -6.235    0.50   1.83481    42.7     0.564
23        -15.519  (可変)
24        -35.736    0.50   1.53172    48.8     0.563
25         32.997  (可変)
26         15.263    2.10   1.48749    70.2     0.530
27        -35.938  (可変)
28          ∞       0.80   1.51633    64.1     0.535
29          ∞       2.10
像面        ∞
非球面データ
第7面
K = 1.96362e-001  A 4=-8.26678e-005  A 6=-4.26762e-006  A 8= 1.25230e-007  A10=-3.66704e-009
第16面
K =-4.50739e-001  A 4= 7.59534e-005  A 6=-1.46153e-006  A 8= 5.28809e-008  A10= 6.36279e-015
第17面
K =-7.59766e+001  A 4= 1.12454e-004  A 6=-5.89864e-006  A 8= 1.80039e-007  A10=-4.12690e-009
第21面
K =-2.82583e+001  A 4=-1.09884e-004  A 6=-6.24161e-006  A 8=-2.01055e-007  A10=-3.18092e-009
各種データ
ズーム比     15.31
広角     中間     望遠
焦点距離       5.09    20.73    78.00
Fナンバー      3.36     4.63     6.18
半画角        33.80    10.59     2.84
像高           3.41     3.88     3.88
レンズ全長    76.23    80.10    87.62
BF             9.68    13.34     4.86
d 5            0.45    10.25    18.20
d11            7.05     1.12     0.70
d15           14.58     4.31     0.35
d23            2.48    12.75    16.71
d25            6.54     2.88    11.35
d27            7.05    10.71     2.23
ズームレンズ群データ
群  始面    焦点距離
1    1      31.83
2    6      -7.28
3   14     -64.23
4   16      14.30
5   24     -32.18
6   26      22.28
【００８３】
【表２】
2015114335.tif 000004
【００８４】
次に、本発明のズームレンズを撮影光学系として用いたデジタルスチルカメラの実施例について図１１を用いて説明する。図１１において、２０はカメラ本体、２１は実施例１〜５で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する画像の情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、色収差が良好に補正された撮像装置が得られる。
【符号の説明】
【００８５】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＳＰ  開口絞り
Ｇ  光学フィルター
ＩＰ  像面
ｄ  ｄ線
ｇ  ｇ線
ΔＳ  サジタル像面
ΔＭ  メリディオナル像面
ω  半画角
Ｆｎｏ  Ｆナンバー
【図１】
2015114335.tif 000005
【図２】
2015114335.tif 000006
【図３】
2015114335.tif 000007
【図４】
2015114335.tif 000008
【図５】
2015114335.tif 000009
【図６】
2015114335.tif 000010
【図７】
2015114335.tif 000011
【図８】
2015114335.tif 000012
【図９】
2015114335.tif 000013
【図１０】
2015114335.tif 000014
【図１１】
2015114335.tif 000015
【図１２】
2015114335.tif 000016